(57)【要約】【課題】アンテナ性能の低下を回避すると共にニュートンリングの発生も回避できる通信用端末を提供する。【解決手段】ＬＣＤパネル４をケース基板１２に配置し、ＬＣＤパネル４の表示面側に透明なカバー６を配置する。カバー６の裏面側に、ＬＣＤパネル４の外周部を囲むようにアンテナパターンを配置し、ケース基板１２には、アンテナパターン５と対向するようにフェライトシート１３を配置する。そして、フェライトシート１３におけるＬＣＤパネル４の外周方向寸法Ｔを、アンテナパターン５における同寸法ｔよりも長く設定し、カバー６の裏面とＬＣＤパネル４の表示面との間に空隙を設けた。【選択図】図１
2019045719.tif 000002
【特許請求の範囲】
【請求項１】
ケース基板と、
このケース基板に配置され、発光状態で表示を行う表示パネルと、
この表示パネルの表示面側に配置される透明なカバーと、
このカバーの裏面側に、前記表示パネルの外周部を囲むように配置されるアンテナパターンと、
前記ケース基板に、前記アンテナパターンと対向するように配置される磁性部材とを備え、
前記磁性部材における前記表示パネルの外周方向寸法は、前記アンテナパターンにおける同外周方向寸法よりも長く設定されており、
前記カバーの裏面と前記表示パネルの表示面との間に空隙を設けている通信用端末。
【請求項２】
前記カバーの裏面側に、前記表示パネルと対向するように配置されるタッチパネルを備え、
前記磁性部材は、その内周部が前記タッチパネルの外周部に接することで、スペーサとして機能している請求項１記載の通信用端末。
【請求項３】
前記アンテナパターンと前記磁性部材との間にも空隙を設けている請求項１又は２記載の通信用端末。
【請求項４】
前記磁性部材は、前記ケース基板に接着されている請求項１から３の何れか一項に記載の通信用端末。
【発明の詳細な説明】
【技術分野】
【０００１】
本発明は、発光状態で表示を行う表示パネルと、アンテナパターンとを備える通信用端末に関する。
【背景技術】
【０００２】
図７に示すように、例えばセキュリティシステムに使用される通信用端末１は、建造物の壁面２に設置され、ユーザが所持しているＩＣカードと通信を行うことでセキュリティシステムの設定，解除を行うために使用される。ケース３の内部には、情報を表示するＬＣＤ（Liquid Crystal Display）パネル４と、ＩＣカードと通信を行うためのアンテナ５とを備えている。そして、このような端末は、薄型で且つ小型であることが要求されるため、一般にアンテナ５は、ＬＣＤパネル４の周辺に配置されている。通信用端末１の表面には、ガラスなどの透明なカバー６が配置されており、アンテナ５は、そのカバー６の裏面側に銅などの配線パターンを引き回すことで形成されている。
【０００３】
このような構成においては、ＬＣＤパネル４にも配線パターン等の金属が使用されているため、アンテナ５がＬＣＤパネル４に近接した状態で配置されると、アンテナ５が発生する磁界強度が低下するという問題がある。そのような問題を回避するため、例えば特許文献１に開示されているように、表示パネルとアンテナとの間にフェライト等の磁性部材を配置する対策がある。
【先行技術文献】
【特許文献】
【０００４】
【特許文献１】特開２００６−１９０１８１号公報
【発明の概要】
【発明が解決しようとする課題】
【０００５】
ところで、上述した通信用端末１においては、ＬＣＤパネル４の表示面にカバー６が密着すると、ニュートンリングと称される縞状の模様が発生するという問題もあることから、そのための対策も別途必要となる。
【０００６】
本発明は上記事情に鑑みてなされたものであり、その目的は、アンテナ性能の低下を回避すると共にニュートンリングの発生も回避できる通信用端末を提供することにある。
【課題を解決するための手段】
【０００７】
請求項１記載の通信用端末によれば、発光状態で表示を行う表示パネルは、ケース基板に配置され、表示パネルの表示面側に透明なカバーが配置される。このカバーの裏面側には表示パネルの外周部を囲むようにアンテナパターンが配置され、ケース基板にはアンテナパターンと対向するように磁性部材が配置される。そして、磁性部材における表示パネルの外周方向寸法を、アンテナパターンにおける同寸法よりも長く設定し、カバーの裏面と表示パネルの表示面との間に空隙を設ける。
【０００８】
このように構成すれば、透明なカバーと表示パネルとの間に磁性部材を配置することでアンテナ性能の低下を回避できる。また、カバーの裏面と表示パネルの表示面との間に空隙を設けることで、ニュートンリングの発生も回避できる。
【０００９】
請求項２記載の通信用端末によれば、カバーの裏面側に、表示パネルと対向するように配置されるタッチパネルを備え、磁性部材の内周部がタッチパネルの外周部に接するように配置して、磁性部材をスペーサとしても利用する。つまり、通信用端末が、ユーザが入力操作を行うためのタッチパネルを備えている際には、磁性部材の一部がタッチパネルに接するように配置する。これにより、磁性部材がスペーサとなることで、カバーと表示パネルとの間に空隙を設けることができる。したがって、通信用端末を小型に構成できる。
【００１０】
請求項３記載の通信用端末によれば、アンテナパターンと磁性部材との間にも空隙を設けるようにする。アンテナパターンは金属配線からなるため、その表面には凹凸がある。したがって、磁性部材がアンテナに接触すると、その接触状態によって両者間の距離が一定とならず、アンテナの性能にばらつきが生じる可能性が有る。そこで、アンテナパターンと磁性部材との間に予め空隙を設ければ、両者間の距離が一定となることでアンテナ性能を安定させることができる。
【００１１】
請求項４記載の通信用端末によれば、磁性部材をケース基板に接着して固定する。このように構成すれば、組付け作業者の作業能力の影響によることなく、アンテナパターンと磁性部材との距離が一定となるように組付けることができる。また、ケース基板は発熱しないので、接着剤が熱の影響を受けることが無く、経年変化した場合に劣化の程度が低く抑えられる。したがって、アンテナパターンと磁性部材との距離が一定となる状態を、極力維持することができる。
【図面の簡単な説明】
【００１２】
【図１】第１実施形態であり、通信用端末の図７におけるＡ−Ａ’断面を示す図
【図２】フェライトシートとアンテナパターンとの間に空隙を設ける意義を説明する図（その１）
【図３】フェライトシートとアンテナパターンとの間に空隙を設ける意義を説明する図（その２）
【図４】フェライトシートとアンテナパターンとの間に空隙を設ける意義を説明する図（その３）
【図５】図２〜図４の状態に対応するアンテナ性能の変化を示す図
【図６】第２実施形態であり、通信用端末の図７におけるＡ−Ａ’断面を示す図
【図７】一般的な通信用端末の外観を示す斜視図
【発明を実施するための形態】
【００１３】
（第１実施形態）
以下、第１実施形態について図１から図５を参照して説明する。尚、図７と同一部分には同一符号を付して説明を省略し、異なる部分についてのみ説明する。図１は、図７に示すＡ−Ａ’断面に相当する図である。本実施形態の通信用端末１１は、例えば樹脂製のケース基板１２にＬＣＤパネル４が、その一部を埋め込むようにして配置されている。そして、ＬＣＤパネル４の外周側，図中左方には、磁性部材であるフェライトシート１３が配置されている。フェライトシート１３の厚さ寸法Ｄは、ケース基板１２の表面よりＬＣＤパネル４が突出している高さ寸法ｄよりも長くなっている。ＬＣＤパネル４は表示パネルに相当し、フェライトシート１３は磁性部材に相当する。フェライトシート１３は、ケース基板１２に接着されて固定されている。
【００１４】
カバー６の裏面，図中の下面には、タッチパネル１４がＬＣＤパネル４に対向するように配置されている。タッチパネル１４の横方向，図中左右方向寸法Ｌは、ＬＣＤパネル４の横方向寸法ｌよりも長くなっている。タッチパネル１４の外周側には、アンテナパターン５が配置されている。尚、図１に示すアンテナパターン５は、左右方向寸法ｔを持つイメージで示しており、後述する図２から図４に示すような実際の配線パターンのイメージとは異なっている。
【００１５】
そして、ケース基板１２とカバー６とは、互いの外周部が両面テープ１５により結着されている。この状態で、フェライトシート１３の右端部は、タッチパネル１４の左端部に当接している。これにより、ＬＣＤパネル４の表面と、タッチパネル１４との間には、
Ｄ−ｄ≧０．１ｍｍとなる空隙が設けられている。また、タッチパネル１４の厚さ寸法をＰ，アンテナパターン５の厚さ寸法をａとすると、フェライトシート１３とアンテナパターン５との間には、（Ｐ−ａ）となる空隙が設けられている。
【００１６】
次に、フェライトシート１３とアンテナパターン５との間に空隙を設ける意義について図２から図５を参照して説明する。尚、これらの図では、アンテナパターン５のイメージを、配線基板５Ｂと、その配線基板５Ｂ上に形成されている配線パターン５Ｐとで示している。図２に示すように、配線パターン５Ｐとフェライトシート１３とが隙間なく接触する状態であれば、アンテナ性能は極めて良好となる。これに対して図３に示すように、配線パターン５Ｐとフェライトシート１３とが一部に隙間があるように接触する状態では、アンテナ性能が低下する。
【００１７】
そして、配線パターン５Ｐとフェライトシート１３とを接触させることを前提とすると、図２に示す状態や図３に示す状態，又はそれ以外の状態になり得る。したがって、図５に示すように、アンテナ性能は、（１）〜（２）の間で幅を有することになり、安定しない。
【００１８】
一方、図４に示すように、フェライトシート１３とアンテナパターン５との間に予め一定の空隙を設けるようにすれば、アンテナ性能は図５に（３）で示すように一定の水準で安定するようになる。
【００１９】
以上のように構成される本実施形態によれば、発光状態で表示を行うＬＣＤパネル４をケース基板１２に配置し、ＬＣＤパネル４の表示面側に透明なカバー６を配置する。カバー６の裏面側に、ＬＣＤパネル４の外周部を囲むようにアンテナパターン５を配置し、ケース基板１２には、アンテナパターン５と対向するようにフェライトシート１３を配置する。そして、フェライトシート１３におけるＬＣＤパネル４の外周方向寸法Ｔを、アンテナパターン５における同寸法ｔよりも長く設定し、カバー６の裏面とＬＣＤパネル４の表示面との間に空隙を設けた。このように構成すれば、アンテナ性能の低下を回避できると共に、ニュートンリングの発生も回避できる。
【００２０】
また、カバー６の裏面側に、ＬＣＤパネル４と対向するようにタッチパネル１４を配置し、フェライトシート１３の内周部がタッチパネル１４の外周部に接するように配置した。これにより、フェライトシート１３がスペーサとなって、カバー６とＬＣＤパネル４との間に一定の空隙を設けることができる。したがって、通信用端末１１を小型に構成できる。そして、アンテナパターン５とフェライトシート１３との間にも空隙を設けるようにしたので、両者間の距離が一定となることでアンテナ性能を安定させることができる。
【００２１】
また、フェライトシート１３を、ケース基板１２に接着固定するので、組付け作業者の作業能力の影響によることなく、アンテナパターン５とフェライトシート１３との距離が一定となるように組付けることができる。そして、ケース基板１２は発熱しないので、接着剤が熱の影響を受けることが無く、経年変化した場合に劣化の程度が低く抑えられる。したがって、アンテナパターン５とフェライトシート１３との距離が一定となる状態を、極力維持することができる。
【００２２】
（第２実施形態）
図６に示す通信用端末２１は、第１実施形態の通信用端末１１よりタッチパネル１４を取り除いたものである。この構成においては、両面テープ１５がスペーサとして機能することで、ＬＣＤパネル４とカバー６との間に空隙を設けていると共に、アンテナパターン５とフェライトシート１３との間にも空隙を設けている。したがって、第１実施形態と同様の効果が得られる。
【００２３】
本発明は上記した、又は図面に記載した実施形態にのみ限定されるものではなく、以下のような変形又は拡張が可能である。
ＬＣＤパネル４の表面とタッチパネル１４との間の空隙は、０．１ｍｍ以上に限らない。
表示パネルは、発光状態で表示行うものであれば良く、例えば誘起ＥＬ（Electro-Luminescence）パネルでも良い。
カバーは、樹脂製であっても良い。
接着には、両面テープを用いても良い。
通信用端末は、セキュリティシステムに使用されるものに限らない。
【符号の説明】
【００２４】
図面中、４はＬＣＤパネル、５はアンテナパターン、１１は通信用端末、１２はケース基板、１３はフェライトシート、１４はタッチパネル、２１は通信用端末である。
【図１】
2019045719.tif 000003
【図２】
2019045719.tif 000004
【図３】
2019045719.tif 000005
【図４】
2019045719.tif 000006
【図５】
2019045719.tif 000007
【図６】
2019045719.tif 000008
【図７】
2019045719.tif 000009